(57)【特許請求の範囲】
【請求項１】
それぞれ文字列を印字できる複数個の要素印判（３）を連結して構成してある組み合わせ印（２）用のスタンド（１）であって、
スタンド（１）が、前後壁（１７・１８）と左右壁（１９・２０）とを含んで、上向きに開口する角箱状に構成されており、
前後壁（１７・１８）と左右壁（１９・２０）とで囲まれる主室（２１）の前後寸法（Ｂ１）と左右寸法（Ｗ１）とが、要素印判（３）の左右幅（Ｌ）より小さく設定されており、  主室（２１）に臨む前後壁（１７・１８）の内面に、個々の要素印判（３）を起立保持する複数個の第１ポケット（２２）が形成されており、
主室（２１）に臨む左右壁（１９・２０）の内面に、組み合わせ印（２）を起立保持する第２ポケット（２３）が形成されており、
第１ポケット（２２）の前後幅（Ｂ２）と第２ポケット（２３）の左右幅（Ｗ２）とが、要素印判（３）の左右幅（Ｌ）より大きく設定してあることを特徴とする組み合わせ印のスタンド。
【請求項２】
組み合わせ印（２）が、連続捺印が可能な浸透印からなる複数個の要素印判（３）で構成されており、
スタンド（１）は四角形状の底壁（１６）を含んで角箱状に形成されており、
第１・第２の各ポケット（２２・２３）の底に設けられる支持壁（２６）のそれぞれが、主室（２１）の底壁（１６）より上方に形成されており、
各ポケット（２２・２３）で起立保持した状態の組み合わせ印（２）、および要素印判（３）のそれぞれの印面が、底壁（１６）と隙間を介して対向している請求項１記載の組み合わせ印のスタンド。
【発明の詳細な説明】
【０００１】
【発明の属する技術分野】
この発明は、不使用時の組み合わせ印を、直ちに使用できる状態で起立保持しておくためのスタンドに関する。
【０００２】
【従来の技術】
この種のスタンドは、例えば実開昭６１−１８８８５９号公報に見ることができる。そこでは、傾斜する壁面に要素印判が差し込み装填される矩形穴を、縦横の格子列状に形成し、各矩形穴に個々の要素印判を傾斜姿勢で起立保持できるようにしている。但し、この組み合わせ印は、アラビア数字や￥記号などの一文字のみを印字する要素印判で構成されている。この発明のスタンドに適用される組み合わせ印の要素印判は、住所、氏名、電話番号、会社名などの文字列を個別に印字でき、しかも複数の要素印判を接合した状態で印字できるが、この種の組み合わせ印は、本出願人の出願に係る特開２００１−１１３８０９公報に見ることができる。
【０００３】
【発明が解決しようとする課題】
上記のスタンドは、個々の要素印判を直ちに使用できる状態で起立保持しておくことができる。しかし、いくつかの要素印判を接合した状態で起立保持するための収容部を備えていないので、使用途中の組み合わせ印はスタンドとは別の場所で仮保存するしかない。一群の要素印判を斜めに起立保持するので、捺印しようとする要素印判を選別しやすいものの、机上での占有面積が大きく嵩張りやすい。不使用時には、要素印判を起立保持した状態で収納するしかないが、そのためには大きな収納スペースが必要で、例えば事務机の引出しに収納すると、他の事務用品や書類を収納することができない。
【０００４】
この発明は、住所、氏名、電話番号、会社名などの文字列を個別に印字できる要素印判で構成される組み合わせ印用のスタンドを対象とし、その目的は、複数の要素印判を接合してひとまとめにした状態と、個々の要素印判に分離した状態との、いずれの使用状態であっても、個々の要素印判と、連結された印判のいずれをも起立保持できる組み合わせ印のスタンドを提供することにある。この発明の目的は、スタンドが、不使用時の組み合わせ印を収納保存するための収納容器と、出荷時の輸送用容器とを兼ねており、従って、組み合わせ印の総コストを削減できるうえ、不使用時の組み合わせ印の収納スペースを最小限化して、引出しの片隅など、どこにでも収納保存できる組み合わせ印のスタンドを提供することにある。この発明の目的は、各要素印判が連続捺印の可能な浸透印で構成されている組み合わせ印において、印面を宙に浮かせた状態で起立支持できるようにして、不使用時に要素印判の印面からインクが滲み出すのを防止できる組み合わせ印のスタンドを提供することにある。
【０００５】
【課題を解決するための手段】
この発明の組み合わせ印用のスタンドは、それぞれ文字列を印字できる複数個の要素印判３を連結して構成してある組み合わせ印２を適用対象としている。スタンド１は、前後壁１７・１８と左右壁１９・２０とを含んで、上向きに開口する角箱状に構成する。前後壁１７・１８と左右壁１９・２０とで囲まれる主室２１の前後寸法Ｂ１と左右寸法Ｗ１とは、要素印判３の左右幅Ｌより小さく設定する。主室２１に臨む前後壁１７・１８の内面に、個々の要素印判３を起立保持する複数個の第１ポケット２２を形成する。主室２１に臨む左右壁１９・２０の内面には、組み合わせ印２を起立保持する第２ポケット２３を形成する。第１ポケット２２の前後幅Ｂ２と第２ポケット２３の左右幅Ｗ２とは、要素印判３の左右幅Ｌより大きく設定する。
【０００６】
組み合わせ印２は、連続捺印が可能な浸透印からなる複数個の要素印判３で構成する。スタンド１は四角形状の底壁１６を含んで角箱状に形成し、第１・第２の各ポケット２２・２３の底に設けられる支持壁２６のそれぞれを、主室２１の底壁１６より上方に形成して、各ポケット２２・２３で起立保持した状態の組み合わせ印２、および要素印判３のそれぞれの印面が、底壁１６と隙間を介して対向できるようにする。
【０００７】
【発明の作用効果】
この発明では、前後壁１７・１８と左右壁１９・２０とで囲まれる主室２１の前後寸法Ｂ１と左右寸法Ｗ１とを、要素印判３の左右幅Ｌより小さく設定したうえで、主室２１に臨む前後壁１７・１８の内面には複数個の第１ポケット２２を、左右壁１９・２０の内面には第２ポケット２３をそれぞれ形成するので、第１ポケット２２で分離された個々の要素印判３を起立保持し、第２ポケット２３で組み合わせ印２を起立保持できる。従って、要素印判３を、連結された状態と分離された状態とのいずれの状態で使用する場合にも、個々の要素印判３と連結された組み合わせ印２とのいずれをも、スタンド１によって直ちに使用できる状態で起立保持することができることになり、とくに住所、氏名、電話番号、会社名などの文字列を個別に印字できる要素印判３で構成される組み合わせ印２に好適なスタンド１が得られる。
【０００８】
組み合わせ印２を横臥姿勢にしてスタンド１内に収容することにより、スタンド１を不使用時の組み合わせ印２を収納保存するための収納容器と、出荷時の輸送用容器として兼用できるので、スタンド１を含む組み合わせ印２の総コストを削減できるうえ、不使用時の組み合わせ印２の収納スペースを最小限化して、引出しの片隅などどこにでも収納保存できる組み合わせ印用のスタンドが得られる。
【０００９】
連続捺印が可能な浸透印からなる複数個の要素印判３で構成した組み合わせ印２は、スタンプ台が不要なうえ、全体を押し下げ操作するだけで捺印でき、ゴム印を要素印判とする従来の組み合わせ印に比べて、捺印作業が手早く簡便に行える。しかし、印面が主室２１の底壁１６に接当すると、インクが滲み出してしまう。このようなインクの滲み出しを防ぐために、支持壁２６のそれぞれを主室２１の底壁１６より上方に形成し、各ポケット２２・２３で起立保持した状態の組み合わせ印２、および要素印判３のそれぞれの印面が、底壁１６と隙間を介して対向できるようにしてある。
【００１０】
【実施例】
図１および図７はこの発明に係る組み合わせ印用のスタンドの実施例を示す。図１において符号１はスタンド、２はスタンド１に収容される組み合わせ印である。図３および図４において組み合わせ印２は、連続捺印が可能な浸透印からなる３個の要素印判３と、これらの要素印判３の接合端に連結される一対のリフト脚４とで構成されている。
【００１１】
各要素印判３は、四角形状の印判本体６と、印判本体６の下部に装着される連続捺印が可能な浸透印からなる印字部７と、印判本体６の前後の接合面にそれぞれ設けられる連結体８・９とを備えている。一方の連結体８は突起で形成し、他方の連結体９は先の突起を受け入れる凹溝に形成する。この実施例の要素印判３には、連結した状態の要素印判３の印面の高さを面一に揃えるための調整機構が設けてある。調整機構は、片方の接合面に設けた六角形状の偏心カム１１と、他方の接合面に凹み形成した四角形状の係合凹部１２とからなり、偏心カム１１の３組の対辺部のいずれかひとつと係合凹部１２との組み合わせによって、隣接する要素印判３の印面高さを変更調整できる。各要素印判３の印字部７の印面には住所、氏名、会社名等の文字列が鏡文字で形成してある。各要素印判３の左右幅Ｌは６６mm、全高Ｈは５7.５mmである。
【００１２】
リフト脚４は四角形状に形成してあり、その下部両側にばねで押し出し付勢された脚片１３を備えている。一方のリフト脚４の接合面には、要素印判３と同様の突起からなる連結体８を設け、他方のリフト脚４の接合面には要素印判３と同様の凹溝からなる連結体９を設けている。後者の連結体９が設けられる接合面の中央には、偏心カム１１との接当干渉を避ける逃げ凹部１４が形成してある。３個の要素印判３と一対のリフト脚４を連結した状態においては、図４に示すように、脚片１３が印判要素４の印面より下方に突出して、各印面を紙面から浮き離している。リフト脚４を付勢するばねに逆らって組み合わせ印２の全体を押し下げ操作すると、印面を紙面に密着させて捺印できる。
【００１３】
図２においてスタンド１は、四角形状の底壁１６と、底壁１６の各辺部に立設される前後壁１７・１８と、左右壁１９・２０とを備えた、上向きに開口する角箱状のプラスチック成形品からなり、各壁１６〜２０で囲まれる主室２１に組み合わせ印２を収容できる。左右壁１９・２０の上縁は直線状に形成するが、前後壁１７・１８の上縁は上突状の湾曲線で形成してある。
【００１４】
主室２１に臨む前後壁１７・１８の内面には、分離された個々の要素印判３を起立保持する５個の第１ポケット２２を形成し、左右壁１９・２０の内面には、組み合わせ印２を起立保持する第２ポケット２３を形成してある。各ポケット２２・２３は、前後壁１７・１８および左右壁１９・２０の内面に形成したリブ２５で区分されており、ポケットの底に支持壁２６を備えている。５個の第１ポケット２２のうち、左右両端に位置するポケットの左右幅は他より大きく形成されており、前後厚み寸法が大きな要素印判３を収容できる。因みに、要素印判３は前後厚みの異なる５種を用意してあり、分厚い２種は左右両端に位置するポケットに収容し、他の３種を幅寸法が小さな中央寄りの３個のポケットに収容できるようにしてある。従って、分離された５個までの要素印判３をスタンド１に起立保持できる。
【００１５】
組み合わせ印２および要素印判３を上記の支持壁２６で受け止め支持できるようにするために、前後あるいは左右に対向する支持壁２６の対向間隔、つまり主室２１の前後寸法Ｂ１と左右寸法Ｗ１とを同一寸法にしたうえで、要素印判３の左右幅Ｌより僅かに小さく設定している（図１参照）。さらに、前後壁１７・１８の対向間隔、つまり第１ポケット２２の前後幅Ｂ２と、左右壁１９・２０の対向間隔、つまり第２ポケット２３の左右幅Ｗ２とを、それぞれ要素印判３の左右幅Ｌより僅かに大きく設定している。
【００１６】
以上のように構成したスタンドは、図５に示すように、組み合わせ印２を起立保持するスタンドとして使用できるのはもちろん、図６に示すように分離した状態の個々の要素印判３を起立保持するスタンドとして使用できる。前者の使用状態においては、リフト脚４と要素印判３の左右側端の下面が第２ポケット２３の支持壁２６で受け止められて、印面が底壁１６と隙間を介して対向している。脚片１３は、支持壁２６より下方へ突出するが、支持壁２６と底壁１６との段差寸法が十分に大きいので、脚片１３が底壁１６に接当することはない。後者の使用状態においては、要素印判３とリフト脚４の左右側端の下面が、第１ポケット２２の支持壁２６で受け止められる。従って、要素印判３の印面が底壁１６に接当することはなく、インクの染み出しを防止できる。
【００１７】
スタンドは、不使用時の組み合わせ印を収納保存するための収納容器と、出荷時の輸送用容器とを兼ねる。その使用形態においては、図７に示すように組み合わせ印２を片方のリフト脚４が下になる状態で横臥姿勢にし、その左右端を第２ポケット２３の支持壁２６で受け止める。このとき、脚片１３とそのばねを収容するためのリフト脚４の膨出部が支持壁２６より下方へ突出するが、支持壁２６と底壁１６との段差寸法が先の膨出部の寸法より大きく設定してあるので、膨出部が底壁１６に接当することはない。このように、組み合わせ印２をスタンド１に横臥姿勢で収容すると、組み合わせ印２を起立保持した状態に比べて全高寸法を小さくできるので、不使用時の組み合わせ印を収納保存する時の必要スペースが少なくて済み、出荷時の荷姿を小さくできる。なお、出荷時には、組み合わせ印２を収容した状態のスタンド１は紙箱２８に収容されて包装されている。
【００１８】
上記の実施例では、組み合わせ印２が３個の要素印判３で構成してある場合について説明したが、組み合わせ印は２個ないし５個の要素印判３で構成できる。スタンド１の底壁１６は必ずしも必要ではなく、省略することができる。組み合わせ印２の要素印判３は、必ずしも浸透印である必要はなく、スタンプ台を併用するゴム印状の印判であってもよい。主室２１の前後寸法Ｂ１と左右寸法Ｗ１とは、必ずしも同一寸法とする必要はないが、その差は小さいほうが好ましい。上記の実施例のスタンド１においては、５個の要素印判３まで起立保持できるが、リフト脚４をスタンド１に収納できないので、必要に応じてスタンド１の前後壁、あるいは左右壁の外面にリフト脚４用のポケットを付加して、リフト脚４を要素印判３とともに収納保存することができる。
【図面の簡単な説明】
【図１】図５におけるＡ−Ａ線断面図である。
【図２】スタンドの一部破断斜視図である。
【図３】組み合わせ印の分解斜視図である。
【図４】組み合わせ印の斜視図である。
【図５】組み合わせ印を立てた状態のスタンドの断面図である。
【図６】要素印判を立てた状態のスタンドの断面図である。
【図７】組み合わせ印の収納保存状態を示すスタンドの斜視図である。
【符号の説明】
１  スタンド
２  組み合わせ印
３  要素印判
４  リフト脚
１６  底壁
１７  前壁
１８  後壁
１９  左壁
２０  右壁
２１  主室
２２  第１ポケット
２３  第２ポケット
【図１】
0004444534.tif 000002
【図２】
0004444534.tif 000003
【図３】
0004444534.tif 000004
【図４】
0004444534.tif 000005
【図５】
0004444534.tif 000006
【図６】
0004444534.tif 000007
【図７】
0004444534.tif 000008